(57)【特許請求の範囲】
【請求項１】
ケーシングと、ケーシングの内部に収容された熱交換器と、熱交換器に連結されるとともにケーシングの背面からケーシングの外部に伸びる温水循環用の配管と、その配管をケーシングの背面に支持する支持具を備え、
配管は、ケーシングの背面に沿って伸びる直線状の配管部群を有し、各配管部が支持具で支持されており、
支持具は、ケーシングの背面に固定されるとともに配管の外周面を収容可能な台座と、  台座及び台座に収容された配管を被覆する蓋を備え、配管部群の伸長方向に沿って移動可能である、浴室空調装置。
【請求項２】
請求項１に記載の浴室空調装置を設置する方法であって、
浴室空調装置のケーシングの内部の熱交換器に連結され、ケーシングの背面からケーシングの外部に伸びる配管をケーシングの背面に支持し、
ケーシングの背面に支持された状態の配管のうちケーシングの背面に対しほぼ垂直に伸びる部位を浴室の壁孔に通しながら、ケーシングを浴室の壁に取付ける工程群を含むことを特徴とする浴室空調装置の設置方法。
【発明の詳細な説明】
【０００１】
【発明の属する技術分野】
本発明は、浴室空調装置とその設置方法に関する。特に、浴室空調装置の設置作業を行い易くするための技術に関する。
【０００２】
【従来の技術】
図１１に浴室空調装置の背面斜視図を示す。この浴室空調装置は、ケーシング２２と、ケーシング２２の内部に収容された熱交換器（図示省略）と、熱交換器に連結されるとともにケーシング２２の背面２３ａからケーシング２２の外部に伸びる配管２ａ、２ｂを備えている。
この浴室空調装置を浴室の壁に取付ける典型的な設置方法を説明する。まず、平板状のケーシング取付板（図示省略）を浴室の壁にネジ等で取付けて固定する。次に、ケーシング取付板にケーシング２２を取付けたときに配管２ａ、２ｂが浴室の壁孔を通るように配管２ａ、２ｂを曲げる。図１１では、符号５ａ、５ｂの箇所でケーシング２２の背面２３ａに沿ってほぼ直角に曲げられ、符号７ａ、７ｂの箇所でケーシング２２の背面に対しほぼ垂直に曲げられている。次に、配管２ａ、２ｂを曲げた結果、ケーシング２２の背面２３ａに対しほぼ垂直に伸びる配管部８ａ、８ｂを浴室の壁孔に通しながら、壁に固定されたケーシング取付板にケーシング２２を取付ける。図１１では、ケーシング取付板の４箇所の爪部（図示省略）をそれぞれ、ケーシング２２の４箇所の爪係合部２２ｂに係合させることで取付ける。これにより、配管部８ａ、８ｂが浴室の壁孔に挿入されるととも、浴室空調装置が浴室の壁に取付けられる。
【０００３】
【発明が解決しようとする課題】
図１１に示すように、配管２ａ、２ｂは熱交換器から伸びる接続部３ａ、３ｂの部位でケーシング２２の背面に繋がっているだけなので、浴室空調装置の設置作業の際にケーシング２２を動かすと、配管２ａ、２ｂ（特に配管部８ａ、８ｂ）もそれに伴ってぐらついてしまう。このようにぐらついた状態の配管部８ａ、８ｂを浴室の壁孔に通しながら、浴室空調装置をケーシング取付板に取付けるというような浴室空調装置の設置作業は行いにくかった。
一方、配管部８ａ、８ｂのぐらつかせないで浴室空調装置の設置作業を行うためには、配管部８ａ、８ｂを手で支えながら浴室の壁孔に通しつつ、ケーシング取付板にケーシング２２を取付ける必要があった。しかしながら、配管部８ａ、８ｂを手で支えながら浴室の壁孔に通す作業を行うということは、熱交換器やその他の機器が収容された重いケーシング２２をもう片方の手のみで持ちながらケーシング取付板に取付けるという作業を強いることになり、このことが浴室空調装置の設置作業を行いにくくしていた。
【０００４】
本発明は、浴室空調装置の設置作業を行い易くすることを目的とする。
【０００５】
【課題を解決するための手段および作用と効果】
本発明で創作された浴室空調装置は、ケーシングと、ケーシングの内部に収容された熱交換器と、熱交換器に連結されるとともにケーシングの背面からケーシングの外部に伸びる温水循環用の配管と、配管をケーシングの背面に支持する支持具を備える。支持具は、ケーシングの背面に固定されるとともに配管の外周面を収容可能な台座と、台座及び台座に収容された配管を被覆する蓋を備える。
ここで「支持具」は、典型的には配管をケーシングの背面に固定する固定具をいうが、必ずしも固定具でなくてもよく、ケーシングの背面に支持するものであれば、配管の若干の変位を許容するようなものであってもよい。
この浴室空調装置を設置する場合は、支持具によってケーシングの背面に配管が支持された状態でその配管を浴室の壁孔に通しながら、ケーシングを浴室の壁に取付けることができるので、設置作業が行い易い。
【０００６】
なかでも、配管がケーシングの背面に沿って伸びる直線状の配管部群を有しており、その各配管部が支持具で支持されていることが好ましい。
この場合、浴室空調装置を浴室の壁に取付ける際の配管のぐらつきをより少なくことができるので、設置作業がより行い易い。
【０００７】
特に、支持具がケーシングの背面に沿って伸びる配管部群の伸長方向に沿って移動可能であることが好ましい。
この場合、浴室空調装置を浴室の壁に取付ける際の配管のぐらつきをより少なくことができる位置に支持具の位置を調整することができるので、設置作業がより行い易い。
【０００８】
本発明によると、新しい設置方法が可能となる。この方法では、浴室空調装置のケーシングの内部の熱交換器に連結され、ケーシングの背面からケーシングの外部に伸びる配管をケーシングの背面に支持し、ケーシングの背面に支持された状態の配管のうちケーシングの背面に対しほぼ垂直に伸びる部位を浴室の壁孔に通しながら、ケーシングを浴室の壁に取付ける。
この設置方法によると、ケーシングの背面に配管が支持された状態で、その配管のうちケーシングの背面に対しほぼ垂直に伸びる部位を浴室の壁孔に通しながらケーシングを浴室の壁に取付けるので、浴室空調装置の設置作業が行い易い。
【０００９】
【発明の実施の形態】
（第１参考例）  第１参考例の浴室乾燥暖房機（浴室空調装置の一例）を図１から図５を参照して説明する。図１は第１参考例の浴室暖房乾燥機の正面図、図２はその内部の正面図、図３はその背面斜視図、図４はそのケーシング取付板の背面斜視図、図５は図３のＡ−Ａ線断面図である。なお、各図においては、構成部材の一部を省略しているものもある。
第１参考例の浴室暖房乾燥機は、図１に示す正面カバー２２ａと、この正面カバー２２ａを着脱自在に取付可能な図２に示す本体ケース２２ｂと、この本体ケース２２ｂの後端に取付けられた図３に示す背面カバー２２ｃを備えている。この正面カバー２２ａと本体ケース２２ｂと背面カバー２２ｃによって図３に示すケーシング２２が構成されている。
【００１０】
図１に示す正面カバー２２ａは、向かって右側の上部に空気吹出部２４を有している。この空気吹出部２４には、風向を変えることができるルーバー２６が設けられている。正面カバー２２ａの向かって右側の下部には空気吸込部２８が設けられている。正面カバー２２ａの向かって左側の上部には窓３０が設けられている。この窓３０からはリモートコントローラ（図示せず）からの赤外線信号を受信する受光部３２が露出している。この受光部３２は図２に示す本体ケース２２ｂの向かって左側の上部に設けられている。
【００１１】
図２に示す本体ケース２２ｂ内の向かって左側の下部には、制御部３５が備えられている。この制御部３５は、例えば、操作者がリモートコントローラで浴室暖房乾燥機に操作命令を行ったときに、この操作命令の内容（運転モード設定、温度設定、風速設定等）に応じて浴室暖房乾燥機を制御する働きをする。また、この制御部３５からは、配線（電源線と信号線）３９が背面カバー２２ｃに形成された開口１５を通って外部に伸びている。この配線３９は、図５に示すように浴室の壁孔７６を通り、屋外の熱源機（図示省略）に接続されている。
【００１２】
図２に示す熱交換器３８の背後の上部には、循環用ファン４６が備えられている。この循環用ファン４６は循環用ファンモータ４４の駆動力によって回転される。運転モードを「暖房」または「乾燥」にすると、循環用ファン４６の回転が開始される。図２に示す循環用ファン４６が回転することによって、浴室内の空気は空気吸込部２８（図１参照）から本体ケース２２ｂの内部に吸込まれる。吸込まれた空気は、屋外の熱源機から外部管と配管２ａ（図３参照）と継手管１ａを介し、内部管３６ａを通じて熱交換器３８の内部に流入してきた熱媒と熱交換され暖められる。暖められた空気は空気吹出部２４（図１参照）から吹出される。
【００１３】
図２に示す本体ケース２２ｂ内の向かって左側の上部には、換気用ファン４０が備えられている。この換気用ファン４０の背面側は開口３７から突出している。換気用ファン４０は換気用ファンモータ４２の駆動力によって回転される。通常は、運転モードを「乾燥」にすると、換気用ファン４０の回転が開始される。図２に示す換気用ファン４０が回転することによって、浴室内の空気は空気吸込部２８（図１参照）から本体ケース２２ｂの内部に吸込まれる。吸込まれた空気は、図５に示すように、換気用ファンの後方に伸びるダクト５２から壁８４に形成された排気通路７４（点線で示された空間）を通り、屋外に排気される。
【００１４】
図２に示す本体ケース２２ｂ内の向かって右側には、熱交換器３８が設けられている。この熱交換器３８は、屋外にある図示しない熱源機で加熱された熱媒（例えば、温水）と浴室内の空気を熱交換させて空気を加熱する。この熱交換器３８の内部には、屋外の熱源機で加熱された熱媒を循環させるための内部管３６ａ、３６ｂが備えられている。この内部管３６ａ、３６ｂは循環配管であり、熱源機で加熱して熱エネルギーが増加した熱媒を熱交換器３８に送り込む行き管３６ａと、熱交換器３８で浴室内の空気と熱交換して熱エネルギーが減少した熱媒を再度加熱するため熱源機に戻す戻り管３６ｂ（図５参照）で構成されている。内部管３６ａ、３６ｂの端部は、それぞれ継手管１ａ、１ｂの一端に接続されている。内部管３６ａと継手管１ａの間には熱動弁１７が介装されている。
【００１５】
この継手管１ａ、１ｂは、図３に示すように、背面カバー２２ｃからケーシング２２の外部に伸びる配管２ａ、２ｂに連結されている。背面カバー２２ｃは、背面部２３ａと、上側の２箇所と下側の２箇所に形成された爪係合部２３ｂを有する。配管２ａ、２ｂはそれぞれ、継手管１ａ、１ｂ（図２参照）との接続部３ａ、３ｂと、直線状の第１配管部４ａ、４ｂと、曲線状の第２配管部５ａ、５ｂと、直線状の第３配管部６ａ、６ｂと、曲線状の第４配管部７ａ、７ｂと、直線状の第５配管部８ａ、８ｂと、外部管（図示省略）との接続部９ａ、９ｂで構成されている。
各接続部３ａ、３ｂおよび９ａ、９ｂは、ホースバンド、オーリング、クイックファスナー等によって構成されている。各配管部４ａ〜８ａおよび４ｂ〜８ｂは、ポリエチレン製の蛇腹状のフレキシブル管で形成されている。直線状の第１配管部４ａ、４ｂと第３配管部６ａ、６ｂはケーシング２２の背面２３ａに平行に伸びている。一方、直線状の第５配管部８ａ、８ｂはケーシング２２の背面２３ａに垂直に伸びている。
なお、図３では、上記した図２に示す配線３９と開口１５の表示を省略している。
【００１６】
第１配管部４ａ、４ｂは、ケーシング２２の背面２３ａに固着された台座部１０２に収容されている。その台座部１０２に収容された第１配管部４ａ、４ｂを覆うように蓋部１０４が台座部１０２にネジ１０６で止められている。この台座部１０２と蓋部１０４によって、第１配管部４ａ、４ｂはケーシング２２の背面２３ａに固定されている。第３配管部６ａ、６ｂは、ケーシング２２の背面２３ａに固着された台座部１０８に収容されている。その台座部１０８に収容された第３配管部６ａ、６ｂを覆うように蓋部１１０が台座部１０８にネジ１１２で止められている。この台座部１０８と蓋部１１０によって、第３配管部６ａ、６ｂはケーシング２２の背面２３ａに固定されている。上記した台座部１０２と蓋部１０４、あるいは台座部１０８と蓋部１１０によって固定具（支持具の一例）が構成されている。
なお、台座部１０２と蓋部１０４、および台座部１０８と蓋部１１０には、各配管部４ａ、４ｂ、および配管部６ａ、６ｂの熱等による膨張あるいは収縮を許容するだけの収容空間が確保されている。
【００１７】
ケーシング２２を浴室の壁に取付けるためには、まず、図４に示すケーシング取付板１０を浴室の壁に取付けて固定し、浴室の壁に固定されたケーシング取付板１０にケーシング２２を取付けることで、結果としてケーシング２２が浴室の壁に取付けられる。図４に示すように、ケーシング取付板１０は、外枠部１１と、上側２箇所と下側２箇所の爪部１２と、外枠部１１の中央に形成された開口部１４と、外枠部１１の四隅に形成されたネジ孔１３を備えている。
【００１８】
図５に浴室の壁８４に固定されたケーシング取付板１０にケーシング２２が取付けられた状態を示す。ケーシング２２の背面２３ａから伸びる配管２ａ、２ｂは、壁孔７６を通って屋外に伸びている。屋外に伸びた配管２ａ、２ｂの接続部９ａ、９ｂ（図３参照）には、外部管（図示省略）が接続されている。外部管は熱源機（図示省略）に接続されている。配管２ａ、２ｂはフード１６によって覆われている。
【００１９】
次に、第１参考例の浴室暖房乾燥機の設置方法を説明する。まず、図４に示す平板状のケーシング取付板１０を浴室の壁８４（図５参照）に４箇所のネジ孔１３でネジ止めして固定する。次に、ケーシング取付板１０にケーシング２２を取付けたときに配管２ａ、２ｂが浴室の壁孔７６を通るように配管２ａ、２ｂを曲げる。ただし、本参考例の浴室暖房乾燥機は、図３に示す台座部１０２と蓋部１０４によって第１配管部４ａ、４ｂが予め固定され、符号５ａ、５ｂの位置でケーシング２２の背面２３ａに沿って予め曲げられ、台座部１０８と蓋部１１０によって第３配管部６ａ、６ｂが予め固定された状態となっている。従って、台座部１０８と蓋部１１０で固定された位置より外方に位置する配管２ａ、２ｂを曲げることで配管２ａ、２ｂと浴室の壁孔７６の位置を調整する。図３に示すように、符号７ａ、７ｂの箇所でケーシング２２の背面２３ａに対しほぼ垂直に曲げたとする。次に、配管２ａ、２ｂを曲げた結果、ケーシング２２の背面２３ａに対し垂直に伸びる配管部８ａ、８ｂを浴室の壁孔７６に通しながら、壁８４に固定されたケーシング取付板１０にケーシング２２を取付ける。具体的には、図４に示すケーシング取付板１０の４箇所の爪部１２をそれぞれ、ケーシング２２の４箇所の爪係合部２２ｂに係合させることで取付ける。これにより、配管部８ａ、８ｂが壁孔７６に挿入されるととも、浴室暖房乾燥機（ケーシング２２）が壁８４に取付けられる。
【００２０】
この設置方法によると、台座部１０２と蓋部１０４によって第１配管部４ａ、４ｂが固定され、台座部１０８と蓋部１１０によって第３配管部６ａ、６ｂが固定された状態で配管２ａ、２ｂの配管部８ａ、８ｂを壁孔７６に通しながらケーシング２２を壁８４に取付けることができる。このため、浴室暖房乾燥機の設置作業が行い易い。また、配管２ａ、２ｂの第１配管部４ａ、４ｂおよび第３配管部６ａ、６ｂを固定することで、配管２ａ、２ｂの根元（接続部３ａ、３ｂ）から配管２ａ、２ａが折れるといった事態を防止することができる。
また、浴室暖房乾燥機の設置後は、配管２ａ、２ｂはケーシング２２の背面２３ａに長期に亘って無理のない姿勢で支持されるため、配管２ａ、２ｂの経年劣化を少なくすることができるという効果も得られる。
【００２１】
（第２参考例）  図６に第２参考例の浴室暖房乾燥機の背面斜視図を示す。第２参考例の浴室暖房乾燥機では、台座部１１４と蓋部１１６に第１配管部４ａと４ｂが別個に区切られて収容されているのではなく、一体的に収容されている。また、台座部１２０と蓋部１２２に第３配管部６ａ、６ｂが別個に区切られて収容されているのではなく、一体的に収容されている。これらの点で第１実施例と異なる。
第２参考例の浴室暖房乾燥機の設置作業を行う場合も、第１参考例の浴室暖房乾燥機の場合と同様に、設置作業が行い易い。
【００２２】
（第３参考例）  図７に第３参考例の浴室暖房乾燥機の背面斜視図を示す。第３参考例の浴室暖房乾燥機は、第１配管部４ａ、４ｂをフック状の把持具（支持具の一例）１２６で把持することでケーシング２２の背面２３ａに固定している。また、第３配管部６ａ、６ｂをフック状の把持具（支持具の一例）１２８で把持することでケーシング２２の背面２３ａに固定している。これらの点で第１参考例と異なる。
第３参考例の浴室暖房乾燥機によると、各配管部４ａ、４ｂおよび６ａ、６ｂをそれぞれ、フック状の把持具１２６、１２８で挟み込むだけで配管２ａ、２ｂをケーシング２２の背面２３ａに固定することができるので、ネジ等を用いて固定しなくても、設置作業の際の配管２ａ、２ｂのぐらつきを少なくすることができる。
【００２３】
（第４参考例）  図８に第４参考例の浴室暖房乾燥機の背面斜視図を示す。第４参考例の浴室暖房乾燥機は、配管部４ａ、４ｂを収容する長溝１３０ａ、１３０ｂが形成された長尺の台座部（支持具の一例）１３０を備えており、蓋部を備えていない。また、配管部６ａ、６ｂを収容する長溝１３２ａ、１３２ｂが形成された長尺の台座部（支持具の一例）１３２を備えており、蓋部を備えていない。これらの点で第１参考例の浴室暖房乾燥機と異なる。
第４参考例の浴室暖房乾燥機によると、各配管部４ａ、４ｂおよび６ａ、６ｂをそれぞれ、台座部１３０の長溝１３０ａ、１３０ｂおよび台座部１３２の長溝１３２ａ、１３２ｂに収容することで、蓋部を用いなくても、設置作業の際に配管２ａ、２ｂがぐらつかない程度にケーシング２２の背面２３ａに配管２ａ、２ｂを支持することができる。
【００２４】
（第１実施例）  図９に第１実施例の浴室暖房乾燥機の背面斜視図を示す。
第１実施例の浴室暖房乾燥機は、台座部２０２と蓋部２０４で構成される固定具（支持具の一例）が、配管部４ａ、４ｂに沿って伸びるスライド溝２０７ａ、２０７ｂに沿ってスライド可能である。また、台座部２０８と蓋部２１０で構成される固定具（支持具の一例）が、配管部６ａ、６ｂに沿って伸びるスライド溝２１３ａ、２１３ｂに沿ってスライド可能である。これらの点で第１参考例の浴室暖房乾燥機と異なる。
第１実施例の浴室暖房乾燥機によると、配管２ａ、２ｂのぐらつきをより少なくすることができる位置に各固定具の位置を調整することができる。例えば、ケーシング２２の背面側からみて壁孔が左側に配置されている場合には、配管２ａ、２ｂの曲げ位置７ａ、７ｂも左側に位置するようにしなければならない。この場合には、台座部２０８と蓋部２１０で構成される固定具の位置も左側にスライドさせることで、配管２ａ、２ｂがより適切な位置で固定されるため、配管２ａ、２ｂのぐらつきをより少なくすることができる。このため、浴室暖房乾燥機の設置作業がより行い易くなる。なお、台座部２０８と蓋部２１０で構成される固定具は一対の案内用レール２１３ａ、２１３ｂによってスライド可能であり、かつ任意のスライド位置で固定することができる。
【００２５】
（第２実施例）  図１０に第２実施例の浴室暖房乾燥機の背面斜視図を示す。
第２実施例の浴室暖房乾燥機は、台座部２３０に加えて蓋部２３１を有し、台座部２３０にスライド溝２３０ｃ、２３０ｄが形成されており、そのスライド溝２３０ｃ、２３０ｄに沿って蓋部２３１がスライド可能である。また、台座部２３２に加えて蓋部２３３を有し、台座部２３２にスライド溝２３２ｃ、２３２ｄが形成されており、そのスライド溝２３２ｃ、２３２ｄに沿って蓋部２３３がスライド可能である。これらの点で第４参考例の浴室暖房乾燥機と異なる。
第２実施例の浴室暖房乾燥機によると、第４参考例に示したのと同様に、各配管部４ａ、４ｂおよび６ａ、６ｂをそれぞれ、台座部２３０の長溝２３０ａ、２３０ｂおよび台座部２３２の長溝２３２ａ、２３２ｂに収容した上に、さらにスライド可能な蓋部２３１、２３３を配管２ａ、２ｂのぐらつきをより少なくできる位置に配置することができる。このため、浴室暖房乾燥機の設置作業がより行い易くなる。なお、スライド可能な蓋部２３１、２３３は、配管２ａ、２ｂを長溝２３０ａ、２３０ｂ、２３２ａ、２３２ｂに収容した後にスライド溝２３０ｃ、２３０ｄ、２３２ｃ、２３２ｄに嵌め込むことができる。
【００２６】
以上、本発明の具体例を詳細に説明したが、これらは例示に過ぎず、特許請求の範囲を限定するものではない。特許請求の範囲に記載の技術には、以上に例示した具体例を様々に変形、変更したものが含まれる。
また、本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成し得るものであり、そのうちの一つの目的を達成すること自体で技術的有用性を持つものである。
【００２７】
例えば、上記実施例では、配管２ａ、２ｂが蛇腹状のフレキシブル管で形成されている場合を説明したが、配管２ａ、２ｂは硬質の塩化ビニル管や金属管であってもよい。配管２ａ、２ｂが硬質管の場合でもぐらつきは生じ得るため、支持具を用いることでぐらつきを少なくすることができ、浴室空調装置の設置作業を行い易くすることができる。また、配管２ａ、２ｂが硬質管の場合、支持具を用いることは、配管２ａ、２ｂの根元（接続部３ａ、３ｂ）から配管２ａ、２ａが折れるといった事態を防止するためにも有効である。
また、上記した第１参考例等では配管２ａ、２ｂの直線状の配管部４ａ、４ｂ等を固定具（台座部１０２、固定部１０４等）で固定したが、曲線状の配管部５ａ、５ｂあるいは７ａ、７ｂを支持具で支持してもよい。また、支持具の数や支持位置に制限はない。
【００２８】
また、上記実施例では配管２ａ、２ｂを符号５ａ、５ｂの部位でほぼ直角に曲げて、ケーシング２２の背面２３ａに沿った直線状の配管部４ａ、４ｂおよび配管部６ａ、６ｂを形成しているが、配管２ａ、２ｂをリング状に曲げて、所定間隔ごとに支持具で配管２ａ、２ｂを支持するようにしてもよい。
また、第１参考例の浴室暖房乾燥機の設置方法では、図３に示す台座部１０２と蓋部１０４によって第１配管部４ａ、４ｂが予め固定され、符号５ａ、５ｂの位置でケーシング２２の背面２３ａに沿って予め曲げられ、台座部１０８と蓋部１１０によって第３配管部６ａ、６ｂが予め固定された状態を例にして説明したが、浴室暖房乾燥機の設置時に配管２ａ、２ｂを符号５ａ、５ｂの位置で曲げ、その後に台座部と蓋部を取付けるようにしてもよい。この場合、浴室の壁孔の位置を確認した後に台座部と蓋部を取付けることができるので、より適切な位置（より配管のぐらつきを少なくできる位置）に台座部と蓋部を取付けることができる。
【図面の簡単な説明】
【図１】  第１参考例の浴室暖房乾燥機の正面図を示す。
【図２】  第１参考例の浴室暖房乾燥機の内部の正面図を示す。
【図３】  第１参考例の浴室暖房乾燥機の背面斜視図を示す。
【図４】  第１参考例の浴室暖房乾燥機のケーシング取付板の背面斜視図を示す。
【図５】  第１参考例の浴室暖房乾燥機の図３のＡ−Ａ線断面図を示す。
【図６】  第２参考例の浴室暖房乾燥機の背面斜視図を示す。
【図７】  第３参考例の浴室暖房乾燥機の背面斜視図を示す。
【図８】  第４参考例の浴室暖房乾燥機の背面斜視図を示す。
【図９】  第１実施例の浴室暖房乾燥機の背面斜視図を示す。
【図１０】  第２実施例の浴室暖房乾燥機の背面斜視図を示す。
【図１１】  従来の浴室空調装置の背面斜視図を示す。
【図１】
0004903955.tif 000002
【図２】
0004903955.tif 000003
【図３】
0004903955.tif 000004
【図４】
0004903955.tif 000005
【図５】
0004903955.tif 000006
【図６】
0004903955.tif 000007
【図７】
0004903955.tif 000008
【図８】
0004903955.tif 000009
【図９】
0004903955.tif 000010
【図１０】
0004903955.tif 000011
【図１１】
0004903955.tif 000012